【手続補正書】
【提出日】平成25年12月5日(2013.12.5)
【手続補正１】
【補正対象書類名】明細書
【補正対象項目名】００６６
【補正方法】変更
【補正の内容】
【００６６】
（実施例２）
実施例１で調製されるものと同様の光方向転換構成体が、ガラス基材上で調製され得る。ダイヤモンド切削プロセスを使用して得られる同様のマスターツールが使用され得る。Ｃｏｇｎｉｓ（Ｍｏｎｈｅｉｍ，Ｇｅｒｍａｎｙ）から商標表記「ＰＨＯＴＯＭＥＲ ６０１０」で市販される、７４重量部の脂肪族ウレタンアクリレートオリゴマー、Ｓａｒｔｏｍｅｒ（Ｅｘｔｏｎ，ＰＡ）から商標表記「ＳＡＲＴＯＭＥＲ ＳＲ ２３８」で市販される、２５重量部の１，６−ヘキサンジオールジアクリレート及びＣｉｂａ（Ｂａｓｅｌ，Ｓｗｉｔｚｅｒｌａｎｄ）から商標表記「ＤＡＲＯＣＵＲ １１７３」で市販されるαヒドロキシケトンＵＶ光開始剤（２−ヒドロキシ−２−メチル−１−フェニル−１−プロパノン）を含む同様のＵＶ硬化性樹脂組成物が、調製され得る。ガラスプレートが、ＵＶ硬化性樹脂により、およそ８５マイクロメートルの厚さまでコーティングされ得る。コーティングされたフィルムは、溝に空気が全く入らないように、マスターツールと物理的に接触させることができる。マスターツールと物理的に接触している間に樹脂が、Ｆｕｓｉｏｎ ＵＶ ｓｙｓｔｅｍｓ（Ｇａｉｔｈｅｒｓｂｕｒｇ，ＭＤ）から入手可能なマイクロ波によって駆動される紫外線硬化システムにより硬化され得る。ウェブ上の硬化した樹脂が、マスターツールから取り除かれて、微細構造化フィルムを生じ得る。
本出願では、以下の態様が提供される。
１．  第１主表面及び前記第１主表面と反対側の第２主表面を有する光学基材であって、前記第１主表面は非対称構造を含む微細構造化表面を含み、前記非対称構造は複数の多面屈折性プリズムの順序付けられた配列を含み、前記多面屈折性プリズムのそれぞれの断面は少なくとも４つの面（面Ａ、Ｂ、Ｃ及びＤ）を含み、前記多面屈折性プリズムのそれぞれの面Ａは前記光学基材の前記第１主表面と平行であり、かつこれと隣接し、前記多面屈折性プリズムのそれぞれの面Ｂは面Ａに接合され、面Ａの垂線と水平な方向の上１５〜８０°の角度における前記光学基材の前記第２主表面上への入射光線の全内部反射を生成するように設計され、前記多面屈折性プリズムのそれぞれの面Ｃは面Ａに接合され、前記多面屈折性プリズムのそれぞれの面Ｄが面Ｃ及び面Ｂに接続され、かつ面Ｂから反射される光線を、面Ｂから離れる方向に、面Ｃ及び／又はＤに向けて実質的に方向転換するように設計される、光学基材を含む、光管理構成体。
２．  面Ｂは、面Ａと、交点において９０°未満の角度を形成する、態様１に記載の光管理構成体。
３．  面Ｃは、面Ａと、交点において９０°以下の角度を形成する、態様１に記載の光管理構成体。
４．  面Ｄが、少なくともその１つが湾曲している一連の面を含むか、又は面Ｃ及びＤが一緒に単一の湾曲した表面を形成する、態様１に記載の光管理構成体。
５．  面Ｃ若しくはＤ又は、面Ｃ及びＤが共に、一連の面を含み、前記一連の面は構造化表面を含み、前記構造化表面の構造の各寸法が、面Ａよりも小さい、態様１に記載の光管理構成体。
６．  面Ｄが、面Ｂに接合されて点を形成する面Ｄ１を含む、態様４に記載の光管理構成体。
７．  面Ｄが、結合表面を提供する面Ｄ２を含む、態様４に記載の光管理構成体。
８．  前記非対称構造は１超のアスペクト比を有する、態様１に記載の光管理構成体。
９．  前記非対称構造が、前記光学基材の前記第１主表面から５０マイクロメートル〜２５０マイクロメートル突出する、態様１に記載の光管理フィルム構成体。
１０．  前記非対称構造が熱可塑性又は熱硬化性材料を含む、態様１に記載の光管理構成体。
１１．  前記光学基材が光学フィルムを含む、態様１に記載の光管理構成体。
１２．  前記光学フィルムが多層光学フィルムを含む、態様１１に記載の光管理構成体。
１３．  前記光学基材の第２主表面がコーティングを含む、態様１に記載の光管理構成体。
１４．  前記コーティングが接着剤コーティングを含む、態様１３に記載の光管理構成体。
１５．  前記接着剤コーティングに取り付けられた剥離ライナーを更に含む、態様１４に記載の光管理構成体。
１６．  前記多層光学フィルムが、協調して赤外放射線を反射する、交互のポリマー層を含む、多層フィルムを含む、態様１２に記載の光管理構成体。
１７．  前記光学フィルムがＵＶＡ吸収粒子を更に含む、態様１１の光管理構成体。
１８．  前記接着剤コーティングがＵＶＡ吸収粒子を更に含む、態様１４に記載の光管理構成体。
１９．  前記ポリマー層の少なくとも１つが複屈折性ポリマー層を含む、態様１６に記載の光管理構成体。
２０．  前記光学基材がグレージング基材を含む、態様１に記載の光管理構成体。
２１．  第１グレージング基材と、前記第１グレージング基材に取り付けられた光管理構成体であって、前記光管理構成体は、第１主表面及び前記第１主表面と反対側の第２主表面を有する光学フィルムを含み、前記第１主表面は非対称構造を含む微細構造化表面を含み、前記非対称構造は複数の多面屈折性プリズムの順序付けられた配列を含む、光管理構成体と、前記光学フィルムの前記第１主要構造化表面の前記構造の実質的に全部に結合される第２グレージング基材とを含む、物品。
２２．  前記第１グレージング基材及び前記第２グレージング基材がガラス基材を含む、態様２１に記載の物品。
２３．  前記光管理構成体上の前記非対称構造が、複数の多面屈折性プリズムの順序付けられた配列を含み、前記多面屈折性プリズムのそれぞれの断面が３つ以上の面を含む、態様２１に記載の物品。
２４．  前記多面屈折性プリズムのそれぞれの前記断面は４つの面（面Ａ、Ｂ、Ｃ及びＤ）を含み、前記多面屈折性プリズムのそれぞれの面Ａは前記光学フィルムの前記第１主表面と平行であり、かつこれと隣接し、前記多面屈折性プリズムのそれぞれの面Ｂは面Ａに接合され、面Ａの垂線と水平な方向の上１５〜８０°の角度における前記光学フィルムの前記第２主表面上への入射光線の全内部反射を生成するように設計され、前記多面屈折性プリズムのそれぞれの面Ｃは面Ａに接合され、前記多面屈折性プリズムのそれぞれの面Ｄが面Ｃ及び面Ｂに接続され、かつ面Ｂから反射される光線を、面Ｂから離れる方向に、面Ｃ及び／又はＤに向けて実質的に方向転換するように設計される、態様２３に記載の物品。
２５．  前記順序付けられた配列の複数の多面屈折性プリズムは、前記非対称構造が入射する光を上方に方向転換するように向けられる、態様２１に記載物品。
【手続補正２】
【補正対象書類名】特許請求の範囲
【補正対象項目名】全文
【補正方法】変更
【補正の内容】
【特許請求の範囲】
【請求項１】
第１主表面及び前記第１主表面と反対側の第２主表面を有する光学基材であって、前記第１主表面は非対称構造を含む微細構造化表面を含み、前記非対称構造は複数の多面屈折性プリズムの順序付けられた配列を含み、前記多面屈折性プリズムのそれぞれの断面は少なくとも４つの面（面Ａ、Ｂ、Ｃ及びＤ）を含み、前記多面屈折性プリズムのそれぞれの面Ａは前記光学基材の前記第１主表面と平行であり、かつこれと隣接し、前記多面屈折性プリズムのそれぞれの面Ｂは面Ａに接合され、面Ａの垂線と水平な方向の上１５〜８０°の角度における前記光学基材の前記第２主表面上への入射光線の全内部反射を生成するように設計され、前記多面屈折性プリズムのそれぞれの面Ｃは面Ａに接合され、前記多面屈折性プリズムのそれぞれの面Ｄが面Ｃ及び面Ｂに接続され、かつ面Ｂから反射される光線を、面Ｂから離れる方向に、面Ｃ及び／又はＤに向けて実質的に方向転換するように設計される、光学基材を含む、光管理構成体。
【請求項２】
面Ｂは、面Ａと、交点において９０°未満の角度を形成する、請求項１に記載の光管理構成体。
【請求項３】
面Ｄが、少なくともその１つが湾曲している一連の面を含むか、又は面Ｃ及びＤが一緒に単一の湾曲した表面を形成する、請求項１に記載の光管理構成体。
【請求項４】
第１グレージング基材と、
前記第１グレージング基材に取り付けられた光管理構成体であって、前記光管理構成体は、第１主表面及び前記第１主表面と反対側の第２主表面を有する光学フィルムを含み、前記第１主表面は非対称構造を含む微細構造化表面を含み、前記非対称構造は複数の多面屈折性プリズムの順序付けられた配列を含む、光管理構成体と、
前記光学フィルムの前記第１主要構造化表面の前記構造の実質的に全部に結合される第２グレージング基材と
を含む、物品。
【請求項５】
前記順序付けられた配列の複数の多面屈折性プリズムは、前記非対称構造が入射する光を上方に方向転換するように向けられる、請求項４に記載物品。